(57)【要約】【課題】拡散光であるストロボ光の一部を分光して異なる方向にスポット光を照射することができるストロボ用分光アダプタを提供する。【解決手段】カメラＣに着脱自在に取り付けられる本体部Ｓ１に発光ヘッド部Ｓ２が回動自在に支持されたストロボＳに装着されるものであり、ストロボＳの発光ヘッド部Ｓ２に着脱自在に嵌着される、環状の樹脂成形品である装着部１０と、ストロボＳの発光ヘッド部Ｓ２における発光面側に張り出すように傾斜させた状態で、装着部１０に支持部材３０を介して、支持された凹面鏡２０とから構成されている。【選択図】        図４
2011242663.tif 000002
【特許請求の範囲】
【請求項１】
カメラに着脱自在に取り付けられる本体部に発光ヘッド部が回動自在に支持されたストロボに装着されるストロボ用分光アダプタであって、
前記ストロボの前記発光ヘッド部に着脱自在に装着される装着部と、
前記ストロボの前記発光ヘッド部における発光面側に張り出すように傾斜させた状態で、前記装着部に支持された凹面鏡と
を備えていることを特徴とするストロボ用分光アダプタ。
【請求項２】
前記凹面鏡は、前記発光ヘッドの発光面に対する傾斜角度が５０〜８０度に設定されている請求項１に記載のストロボ用分光アダプタ。
【請求項３】
前記凹面鏡は、前記発光ヘッドの発光面に対する傾斜角度を変更可能に前記装着部に支持されている請求項１に記載のストロボ用分光アダプタ。
【発明の詳細な説明】
【技術分野】
【０００１】
この発明は、カメラに着脱自在に取り付けられるストロボに装着されるストロボ用分光アダプタに関する。
【背景技術】
【０００２】
従来より、自然な感じを出すために、被写体に直接ストロボ光を照射するのではなく、ストロボ光を天井に向けて照射するバウンス撮影が行われているが、正面からの照射光が全くないバウンス光だけではトップライトになってしまうので、被写体が人物や動物の場合は、顔が暗くなったり、目に輝きがなくなってしまうといった問題がある。
【０００３】
従って、こういった問題を解決するために、バウンス撮影を行う場合は、図１１に示すように、天井に向かって照射されるストロボの照射光の一部を分光して被写体に照射する反射板であるバウンサ５１をストロボ５０に内蔵したり、別途ストロボ５０に装着したりしている。
【先行技術文献】
【特許文献】
【０００４】
【特許文献１】特開平０８−０８７０５６号公報
【発明の概要】
【発明が解決しようとする課題】
【０００５】
ところで、上述したようなバウンサ５１を使用すると、拡散光であるストロボ光の一部を分光して異なる方向に照射することはできるが、バウンサ５１で反射された光は拡散光であるため、例えば、被写体に光を均一に照射するのではなく、被写体に拡散光を照射しながら、被写体の後ろの壁面等や被写体の手前の床面等にスポット光を照射することによって、特殊効果を狙ったイメージ写真を取りたい場合には、こういったバウンサは役にたたず、拡散光を照射するストロボ以外に、スポット光を照射可能な光源を別途用意するしかなかった。
【０００６】
そこで、この発明の課題は、拡散光であるストロボ光の一部を分光して異なる方向にスポット光を照射することができるストロボ用分光アダプタを提供することにある。
【課題を解決するための手段】
【０００７】
上記の課題を解決するため、請求項１に係る発明は、カメラに着脱自在に取り付けられる本体部に発光ヘッド部が回動自在に支持されたストロボに装着されるストロボ用分光アダプタであって、前記ストロボの前記発光ヘッド部に着脱自在に装着される装着部と、前記ストロボの前記発光ヘッド部における発光面側に張り出すように傾斜させた状態で、前記装着部に支持された凹面鏡とを備えていることを特徴とするストロボ用分光アダプタを提供するものである。
【０００８】
また、請求項２に係る発明は、請求項１に係る発明のストロボ用分光アダプタにおいて、前記凹面鏡は、前記発光ヘッドの発光面に対する傾斜角度が５０〜８０度に設定されていることを特徴としている。
【０００９】
また、請求項３に係る発明は、請求項１に係る発明のストロボ用分光アダプタにおいて、前記凹面鏡は、前記発光ヘッドの発光面に対する傾斜角度を変更可能に前記装着部に支持されている。
【発明の効果】
【００１０】
以上のように、請求項１に係る発明のストロボ用分光アダプタは、ストロボの発光ヘッド部に着脱自在に装着される装着部と、ストロボの発光ヘッド部における発光面側に張り出すように傾斜させた状態で、装着部に支持された凹面鏡とを備えているので、ストロボの発光ヘッドに装着すると、拡散光であるストロボ光の一部が、凹面鏡によって反射され、スポット光として異なる方向に照射される。
【００１１】
従って、例えば、被写体に光を均一に照射するのではなく、被写体に拡散光を照射しながら、被写体の後ろの壁面等にスポット光を照射したい場合は、ストロボ光を天井に向けて照射するバウンス撮影行うことで、トップライトとして被写体に拡散光を照射しながら、凹面鏡によって反射されたストロボ光の一部を、スポット光として被写体の後ろの壁等に照射することができる。
【００１２】
また、被写体に拡散光を照射しながら、被写体の手前の床等にスポット光を照射したい場合は、被写体に直接ストロボ光を照射することで、キャッチライトとして被写体に拡散光を照射しながら、凹面鏡によって反射されたストロボ光の一部を、スポット光として被写体の手前の床面等に照射することができる。
【００１３】
また、請求項２に係る発明のストロボ用分光アダプタは、ストロボの発光ヘッドの発光面に対する凹面鏡の傾斜角度が５０〜８０度に設定されているので、最も効果的にスポット光を分光することができる。
【００１４】
また、請求項３に係る発明のストロボ用分光アダプタは、ストロボの発光ヘッドの発光面に対する凹面鏡の傾斜角度を変更することができるので、拡散光に対するスポット光の分校比率をある程度の自由度で任意に設定することができ、仕上りのバリエーションが増えるという効果がある。
【図面の簡単な説明】
【００１５】
【図１】この発明に係るストロボ用分光アダプタの一実施形態を示す斜視図である。
【図２】（ａ）は同上のストロボ用分光アダプタを示す平面図、（ｂ）は同上のストロボ用分光アダプタを示す正面図、（ｃ）は同上のストロボ用分光アダプタを示す背面図、（ｄ）は同上のストロボ用分光アダプタを示す底面図、（ｅ）は同上のストロボ用分光アダプタを示す右側面図である。
【図３】（ａ）はカメラに取り付けたストロボに同上のストロボ用分光アダプタを装着する前の状態を示す側面図、（ｂ）は装着した状態を示す側面図である。
【図４】同上のストロボ用分光アダプタを使用したときのストロボ光の照射状態を示す図である。
【図５】同上のストロボ用分光アダプタを使用したときのストロボ光の照射状態を示す図である。
【図６】（ａ）は他の実施形態であるストロボ用分光アダプタを示す正面図、（ｂ）は同上のストロボ用分光アダプタを示す右側面図である。
【図７】図６（ａ）のＸ−Ｘ線に沿った部分断面図である。
【図８】同上のストロボ用分光アダプタにおける凹面鏡の位置決め機構を示す部分拡大側面図である。
【図９】（ａ）は同上のストロボ用分光アダプタにおける凹面鏡を最も前傾させた位置に位置決めした状態を示す部分側面図、（ｂ）は同上のストロボ用分光アダプタにおける凹面鏡を最も後傾させた位置に位置決めした状態を示す部分側面図である。
【図１０】（ａ）は同上のストロボ用分光アダプタにおける凹面鏡を背面側に折り畳んだ状態を示す右側面図、（ｂ）は同上のストロボ用分光アダプタにおける凹面鏡を背面側に折り畳んだ状態を示す背面図である。
【図１１】従来のバウンサを使用したときのストロボ光の照射状態を示す図である。
【発明を実施するための形態】
【００１６】
以下、実施の形態について図面を参照して説明する。図１〜図３に示すように、このストロボ用分光アダプタ１は、カメラＣに着脱自在に取り付けられる本体部Ｓ１に発光ヘッド部Ｓ２が回動自在に支持されたストロボＳに装着されるものであり、ストロボＳの発光ヘッド部Ｓ２に着脱自在に嵌着される、環状の樹脂成形品である装着部１０と、ストロボＳの発光ヘッド部Ｓ２における発光面側に張り出すように傾斜させた状態で、装着部１０に支持部材３０を介して、支持された凹面鏡２０とから構成されている。
【００１７】
前記装着部１０は、上端側の開口面積が下端側の開口面積よりも僅かに小さくなるように形成されており、図３（ａ）、（ｂ）に示すように、ストロボＳの発光ヘッド部Ｓ２に外嵌めしたときに、発光ヘッド部Ｓ２の発光面が装着部１０の上端面と面一または僅かに突出するような状態で、容易に脱落しないように、ストロボＳの機種に応じて、その内寸が設定されている。
【００１８】
前記支持部３０は、装着部１０の背面側に連設されており、凹面鏡２０の下端部が支持部３０に埋設されることによって、凹面鏡２０が所定の傾斜角度で支持部３０に支持されている。
【００１９】
前記凹面鏡２０は、直径が７９ｍｍ、曲率半径が８０ｍｍで、装着部１０の幅と略同一直径の正面円形状であり、図２（ｅ）に示すように、その外周縁を通る平面と装着部１０の上端面とのなす角度θが５０〜８０度となるように、その傾斜角度が設定されている。
【００２０】
以上のように構成されたストロボ用分光アダプタ１を、カメラＣに取り付けたストロボＳの発光ヘッド部Ｓ２に装着すると、図３（ｂ）に示すように、その凹面鏡２０がストロボＳの発光ヘッド部Ｓ２における発光面側に張り出すような状態となり、拡散光であるストロボ光の一部が、凹面鏡２０によって反射され、スポット光として異なる方向に照射されることになる。
【００２１】
従って、例えば、図４に示すように、ストロボＳの発光ヘッド部Ｓ２における発光面を真上に向けた状態でバウンス撮影を行うと、拡散光であるストロボ光が天井面に照射されて、拡散光ｄｌが上方から被写体に照射されると共に、拡散光であるストロボ光の一部が、凹面鏡２０によって反射され、スポット光ｓｌとして被写体の後ろの壁面等に照射されることになり、また、図５に示すように、ストロボＳの発光ヘッド部Ｓ２における発光面を斜め真上に向けた状態でバウンス撮影を行うと、拡散光であるストロボ光が天井面に照射されて、拡散光ｄｌが上方から被写体に照射されると共に、拡散光であるストロボ光の一部が、凹面鏡２０によって反射され、スポット光ｓｌとして被写体の一部及び床面に照射されることになるので、反射光が拡散光となるバウンサを用いた従来のバウンス撮影のように被写体に光を均一に照射する場合とは異なり、特殊効果を狙ったイメージ写真を撮影することができる。なお、図４及び図５では、ストロボ用分光アダプタ１を使用して天井バウンス撮影を行う場合について説明したが、ストロボを横に向けることで、ストロボ光を横壁面に照射する横壁バウンス撮影を行う場合にも、このストロボ用分光アダプタ１を使用することで、天井バウンス撮影と同様に、特殊効果を狙ったイメージ写真を撮影することができることは言うまでもない。
【００２２】
また、ストロボＳの発光ヘッド部Ｓ２における発光面を正面の被写体に向けた状態で通常の撮影を行うと、拡散光であるストロボ光が被写体に直接照射されると共に、拡散光であるストロボ光の一部が、凹面鏡２０によって反射され、スポット光として被写体の手前で床面に照射されることになるので、上述したバウンス撮影の場合とは違ったイメージ写真を撮影することができる。
【００２３】
また、マクロ撮影（接写）を行う場合は、被写体がカメラに近いためにストロボ光を被写体に直接照射することができないので、バウンサを使用することで、バウンサからの反射光（拡散光）を被写体に照射することがあるが、こういったバウンサに替えて、このストロボ用分光アダプタ１を使用すると、凹面鏡２０によって反射されたスポット光を被写体に照射することができるので、従来のバウンサを使用する場合に比べて、被写体に対する照射光量を大きくすることができるという効果がある。
【００２４】
図６〜図１０は、他の実施形態を示している。上述したストロボ用分光アダプタ１は、凹面鏡２０の傾斜角度が５０〜８０度の範囲内の所定角度に固定されていたが、このストロボ用分光アダプタ２は、凹面鏡２０の傾斜角度を所定の範囲内で段階的に変更することができるようになっている。
【００２５】
同図に示すように、このストロボ用分光アダプタ２も、基本的には、上述したストロボ用分光アダプタ１と同様の構成を有しているので、同一構成要素には同一符号付して、その説明を省略し、異なる構成要素である支持部材３０Ａについて詳細に説明する。
【００２６】
前記支持部材３０Ａは、装着部１０の背面側の両側部に連設された左右一対の支持ベース３１と、この支持ベース３１の上端面に固定された、凹面鏡２０を回動可能に支持する支持ユニット３２とを備えており、支持ユニット３２は、凹面鏡２０の傾斜角度を所定の範囲内で段階的に変更することができる位置決め機能を有している。
【００２７】
前記支持ユニット３２は、凹面鏡２０下端部を支持する円柱状の支持部３３と、両端部が支持部３３の両端部からそれぞれ突出するように、支持部３３の中心に埋設された回動軸３４と、支持部３３の両端部からそれぞれ突出した回動軸３４を回転可能に支持する左右の支持ブロック３５、３６と、回動軸３４の一方の端部に固定された、外周面に複数の係止爪３７ａが適宜連設された円盤３７とを備えており、左右の支持ブロック３５、３６は、左右一対の支持ベース３１、３１にそれぞれ固定されている。
【００２８】
一方の支持ブロック３５は、回動軸３４の一方の端部に固定された円盤３７を収容する円形凹部３５ａが形成された本体部３５Ａと、この本体部３５Ａの円形凹部３５ａを閉塞する蓋板３５Ｂとを備えており、円盤３７が円形凹部３５ａ内で回転することができるようになっている。
【００２９】
前記支持ブロック３５の本体部３５Ａには、円形凹部３５ａの内周面に孔３５ｂが形成されており、この孔３５ｂには、円盤３７の係止爪３７ａ間に係合する係止ピン３８と、この係止ピン３８を円盤３７の中心側に付勢するコイルばね３９とが収容されている。従って、凹面鏡２０を、その回動方向に動かそうとすると、円盤３７の係止爪３７ａが係止ピン３８を押圧し、コイルばね３９が圧縮されて係止ピン３８が後退するので、係止爪３７ａに対する係止ピン３８の係合が解除され、凹面鏡２０を回動させることができるが、その回動を止めると、コイルばね３９によって円盤３７の中心側に付勢されている係止ピン３８が係止爪３７ａ間に係合するので、凹面鏡２０がその姿勢で位置決めされる。
【００３０】
ただし、係止爪３７ａは、円盤３７の全周にわたって一定間隔で形成されているわけではなく、図９（ａ）に示すように、傾斜角度（凹面鏡２０の外周縁を通る平面と装着部１０の上端面とのなす角度）θ１が２０度から、同図（ｂ）に示すように、傾斜角度θ２が１１０度までの間に相当する領域に一定間隔で形成されており、この間で段階的に位置決めできるようになっていると共に、図１０（ａ）、（ｂ）に示すように、凹面鏡２０を装着部１０の背面側に完全に倒した収納位置で位置決めすることができるように、対応する位置に一対の係止爪３７ａ、３７ａが形成されている。従って、凹面鏡２０の傾斜角度θ２から収納位置までの間は、凹面鏡２０を位置決めすることができないようになっている。
【００３１】
以上のように構成されたストロボ用分光アダプタ２は、ストロボＳの発光面に対する凹面鏡２０の傾斜角度を所定の範囲内で段階的に変更することができるので、撮影者が、拡散光に対するスポット光の分校比率をある程度の自由度で任意に設定することができ、仕上りのバリエーションが増えるという効果がある。
【００３２】
また、このストロボ用分光アダプタ２は、凹面鏡２０を装着部１０の背面側に完全に倒した収納位置で位置決めすることができるので、このストロボ用分光アダプタ２をストロボＳに装着した状態であっても、その分光機能を使用することなく、通常の撮影を行うことが可能であり、使い勝手がよい。
【００３３】
また、凹面鏡２０を収納位置に位置決めすると、ストロボ用分光アダプタ２自体が嵩張らないので、持ち運びに便利であると共に、自宅での保管スペースも小さくなり、取扱性がよい。
【００３４】
なお、このストロボ用分光アダプタ２では、実際に使用されるであろうと想定される範囲内で凹面鏡２０の傾斜角度を段階的に変更することができるようになっているが、これに限定されるものではなく、凹面鏡２０が回動可能な全範囲内で段階的に位置決めすることができるようにしてもよいことは言うまでもない。
【００３５】
また、このストロボ用分光アダプタ２では、回動軸３４に取り付けた、複数の係止爪３７ａを有する円盤３７と、この円盤３７の係止爪３７ａ間に係合する係止ピン３８とからなる位置決め機構を採用しているが、これに限定されるものではなく、種々の位置決め機構を採用することができることは言うまでもない。
【００３６】
また、このストロボ用分光アダプタ２では、凹面鏡２０を段階的に位置決めするようになっているが、これに限定されるものではなく、例えば、凹面鏡２０が固定された回動軸をある程度の太さにし、その回動軸を回動可能に支持する軸受部材に対する回動軸の摩擦抵抗を大きくすることによって、凹面鏡２０を任意の姿勢で位置決めすることも可能である。
【００３７】
また、凹面鏡２０の最大直径については適宜設定すればよいが、ストロボ発光面の横幅の１３０〜８０％程度に設定しておくことが望ましい。凹面鏡２０の最大直径がストロボ発光面の横幅の１３０％を上回ると、嵩張って携帯性が悪くなるからであり、凹面鏡２０の最大直径がストロボ発光面の横幅の８０％を下回ると、十分な分光効果を得られないからである。
【００３８】
また、上述した各実施形態では、ストロボＳの発光ヘッド部Ｓ２に着脱自在に嵌着される環状の装着部１０を採用しているが、これに限定されるものではなく、例えば、ストロボＳの発光ヘッド部Ｓ２の周面に巻き付けて固定するバンド状の装着部を採用することも可能である。
【産業上の利用可能性】
【００３９】
本発明のストロボ用分光アダプタは、ストロボ撮影をする際に利用することができる。
【符号の説明】
【００４０】
１、２  ストロボ用分光アダプタ
１０  装着部
２０  凹面鏡
３０、３０Ａ  支持部材
３１  支持ベース
３２  支持ユニット
３３  支持部
３４  回動軸
３５、３６  支持ブロック
３５Ａ  本体部
３５Ｂ  蓋板
３５ａ  円形凹部
３５ｂ  孔
３７  円盤
３７ａ  係止爪
３８  係止ピン
３９  コイルばね
Ｃ  カメラ
Ｓ  ストロボ
Ｓ１  本体部
Ｓ２  発光ヘッド部
【図１】
2011242663.tif 000003
【図２】
2011242663.tif 000004
【図３】
2011242663.tif 000005
【図４】
2011242663.tif 000006
【図５】
2011242663.tif 000007
【図６】
2011242663.tif 000008
【図７】
2011242663.tif 000009
【図８】
2011242663.tif 000010
【図９】
2011242663.tif 000011
【図１０】
2011242663.tif 000012
【図１１】
2011242663.tif 000013